(57)【要約】【課題】使用直後の版面上のインクおよび使用後版面上に固着したインクを洗浄除去する能力に優れ、低泡性であり、溶液安定性に優れた印刷版用水性洗浄剤組成物を提供する。【解決手段】印刷版用水性洗浄剤組成物は、（Ａ）分子量が８００〜１０００００の（メタ）アクリル酸重合体またはその塩０．１〜２０質量％、（Ｂ）アルカリ剤０．１〜２０質量％、および（Ｃ）キレート剤０．１〜１０質量％を含有することを特徴とする。【選択図】          なし【特許請求の範囲】
【請求項１】
（Ａ）分子量が８００〜１０００００の（メタ）アクリル酸重合体またはその塩０．１〜２０質量％、
（Ｂ）アルカリ剤０．１〜２０質量％、および
（Ｃ）キレート剤０．１〜１０質量％
を含有することを特徴とする、印刷版用水性洗浄剤組成物。
【発明の詳細な説明】
【技術分野】
【０００１】
本発明は、印刷版の洗浄に使用される洗浄剤であって、詳細には、水系でありながら、低泡性であり、かつ溶液安定性に優れ、使用直後のインクが付着した印刷版、さらにはインクが乾燥して固着した印刷版に対しても洗浄に適したものに関する。
【背景技術】
【０００２】
従来より、印刷版を用いて、包装材やラベル、雑誌等の被刷体に対して、凸版印刷、凹版印刷、あるいは平版印刷が行われている。このうち、凸版印刷は、凸版を用いて行われる。この凸版には、材質が柔らかいことから、被刷体を選ばず、種々の被刷体に適用可能なフレキソ印刷版がある。フレキソ印刷版の再使用を行うためには、使用後に速やかにフレキソ印刷版の洗浄を行う必要がある。
【０００３】
従来、上記の洗浄には、塩素系のメチレンクロライド、或いは通常の抽出剤、溶剤、ドライクリーニングのシミ抜き剤としての四塩化炭素などを使用していた。これらは、溶解性が大きいため、印刷インキなど有機溶剤の洗浄剤として使用した場合に、印刷インキのみならず、版の画線部に対してもその溶解力が作用してしまうといった課題があった。
【０００４】
特許文献１には、メチレンクロライドを必須成分とし、ハロゲン化炭化水素、芳香族炭化水素、ケトン類、エーテル類、低級アルコール類、多価アルコール及びその誘導体のうちから少なくとも一種以上の溶剤を配合することを特徴とする印刷用洗浄剤が記載されている。しかし、この洗浄剤は、版の画線部に対してもその溶解力が作用してしまう。
【０００５】
特許文献２には、グリコールエーテル系とグリコールアセテート系化合物を含有する水系洗浄剤が記載されており、従来使用されている塩素系溶剤や芳香族炭化水素等よりも、印刷版に付着したインクの洗浄性に優れ、取扱いの面においても危険性が低いものである。しかし、この洗浄剤組成物は、インクが乾いていない使用直後の印刷版に対しては洗浄力があるものの、インクが乾燥して固着した印刷版にたいする洗浄力が不十分である。
【０００６】
特許文献３には、非水混和性溶剤、アニオン性及び／又は非イオン性界面活性剤、錯化剤、バッファ剤、水混和性溶剤を含有する洗浄力の高い水系洗浄剤が記載されている。しかし、この洗浄剤は、攪拌や噴霧することによる泡立ちおよび溶液の低温安定性が懸念される。
【先行技術文献】
【特許文献】
【０００７】
【特許文献１】特開平６−１７５３７３号公報
【特許文献２】特開１９９８−０１０７４４号公報
【特許文献３】特表２０１７−５２４７６４号公報
【発明の概要】
【発明が解決しようとする課題】
【０００８】
以上より、乾燥して印刷版に固着したインク汚れに対しても、十分な洗浄力を有し、低泡性かつ安定性にすぐれる洗浄剤が必要とされている。
【０００９】
本発明の課題は、使用直後の版面上のインクおよび使用後版面上に固着したインクを洗浄除去する能力に優れ、低泡性であり、溶液安定性に優れた洗浄剤を提供することである。
【課題を解決するための手段】
【００１０】
上記目的を達成するために、本発明者らは鋭意検討した結果、下記に示す特定の成分を組み合わせることにより、上記課題を解決できることを見出した。
【００１１】
即ち、本発明に係る印刷版用水性洗浄剤組成物は、
（Ａ）分子量が８００〜１０００００の（メタ）アクリル酸重合体またはその塩０．１〜２０質量％、
（Ｂ）アルカリ剤０．１〜２０質量％、および
（Ｃ）キレート剤０．１〜１０質量％
を含有することを特徴とする。
【発明の効果】
【００１２】
本発明の印刷版用洗浄剤組成物は、水系でありながら、使用直後の版面上のインクを洗浄除去する優れた能力を有し、且つ使用後、版面上に硬化したインクを洗浄除去する能力に優れる。さらに低泡性に優れるので、印刷版に洗浄剤を噴霧する洗浄工程において使用することができ、溶液の低温安定性に優れるため、扱いやすい。
【発明を実施するための形態】
【００１３】
以下、本発明の実施形態について説明する。
本発明の印刷版用水性洗浄剤組成物（以下、「本発明の組成物」ともいう。）は、（メタ）アクリル酸重合体またはその塩（Ａ）０．１〜２０質量％、アルカリ剤（Ｂ）０．１〜２０質量％およびキレート剤（Ｃ）０．１〜１０質量％を少なくとも含有する。以下、各成分について説明する。
【００１４】
〔成分（Ａ）〕
本発明で用いられる成分（Ａ）は、分子量が８００〜１０００００の(メタ)アクリル酸重合体またはその塩である。
(メタ)アクリル酸重合体とは、アクリル酸の重合体、メタクリル酸の重合体またはアクリル酸とメタクリル酸の共重合体である。
【００１５】
成分（Ａ）の(メタ)アクリル酸重合体の分子量は、印刷版洗浄剤として有用な重合体とするために、８００〜１０００００とする。成分（Ａ）の分子量が１０００００より大きいと溶液の低温安定性が低下する。この観点からは、成分（Ａ）の分子量を１０００００以上とするが、５００００以下が好ましく、１００００以下が更に好ましい。また、成分（Ａ）の分子量が８００より小さいと、泡が多く立つため低泡性が不十分となる。この観点からは、成分（Ａ）の分子量を８００以上とするが、２０００以上が好ましく、４０００以上が更に好ましい。
【００１６】
成分（Ａ）の(メタ)アクリル酸重合体の塩は、アルカリ金属塩、アルカリ土類金属塩、アンモニウムまたは有機アンモニウムが好ましい。アルカリ金属塩としては、リチウム塩、ナトリウム塩、カリウム塩が挙げられ、好ましくは、ナトリウム塩、カリウムである塩。アルカリ土類金属塩としては、カルシウム塩、ストロンチウム塩、バリウム塩等が挙げられ、好ましくはカルシウム塩である。有機アンモニウムは、例えば、モノエタノールアミン、ジエタノールアミン、トリエタノールアミンなどのアルカノールアミンに由来するアルカノールアンモニウム、ジエチルアミン、トリエチルアミンなどのアルキルアミンに由来するアルキルアンモニウムが挙げられる。
【００１７】
本発明の組成物における成分（Ａ）の含有量は、０．１〜２０質量％とする。成分（Ａ）の含有量が０．１質量％未満では、良好な洗浄性が得られ難くなるので、０．１質量％以上とするが、５質量％以上が更に好ましい。また、成分（Ａ）の含有量が２０質量％よりも多いと、溶液の低温安定性が低下するので、２０質量％以下とするが、１５質量％以下が更に好ましい。
ただし、成分（Ａ）〜（Ｃ）の各含有量は、本発明の組成物の全量を１００質量％としたときの含有量である。
【００１８】
〔アルカリ剤（Ｂ）〕
本発明で用いられるアルカリ剤（Ｂ）は、無機アルカリが挙げられる。無機アルカリとしては、水酸化ナトリウム、水酸化カリウム等のアルカリ金属水酸化物、炭酸ナトリウム、炭酸カリウムなどのアルカリ金属炭酸塩、メタ珪酸ナトリウムなどのアルカリ金属珪酸塩、亜硝酸ナトリウム、亜硝酸カリウムなどのアルカリ亜硝酸塩等が挙げられる。これらを１種又は２種以上用いることができる。これらのうち、アルカリ金属水酸化物、アルカリ金属炭酸塩、アルカリ金属珪酸塩を使用することが好ましい。
【００１９】
本発明の組成物は、アルカリ剤（Ｂ）を０．１〜２０質量％含有する。アルカリ材（Ｂ）の含有量が０．１質量％未満では洗浄力が不十分となるので、０．１質量％以上とするが、１質量％以上が好ましく、５質量％以上が更に好ましい。また、アルカリ材（Ｂ）の含有量が２０質量％より多いと、溶液の低温安定性が低下するので、２０質量％以下とするが、１０質量％以下が更に好ましい。
【００２０】
本発明の組成物は、２５℃における水溶液のｐＨが、好ましくは１０〜１４、より好ましくは１１〜１４、更に好ましくは１２〜１４である。
【００２１】
〔キレート剤（Ｃ）〕
本発明で用いられるキレート剤（Ｃ）としては、アミノカルボン酸、ヒドロキシカルボン酸、及びこれらの塩から選ばれる１種以上の化合物が好ましい。
【００２２】
アミノカルボン酸及びその塩としては、エチレンジアミン四酢酸（ＥＤＴＡ）、ニトリロ三酢酸（ＮＴＡ）、イミノ二酢酸、ジエチレントリアミン五酢酸（ＤＰＴＡ）、Ｎ−ヒドロキシエチル−エチレンジアミン三酢酸（ＨＥＤＴＡ）、メチルグリシン二酢酸（ＭＧＤＡ）、アスパラギン酸二酢酸（ＡＳＤＡ）、グルタミン酸二酢酸（ＧＬＤＡ）及びこれらの塩から選ばれる１種又は２種以上が挙げられる。これらのうち、アミノカルボン酸及びその塩は、エチレンジアミン四酢酸及びその塩、メチルグリシン二酢酸及びその塩、並びにＬ−グルタミン酸二酢酸及びその塩から選ばれる１種又は２種以上を使用することが好ましい。
【００２３】
ヒドロキシカルボン酸及びその塩としては、脂肪族ヒドロキシカルボン酸及びその塩から選ばれる化合物が好ましい。ヒドロキシカルボン酸及びその塩としては、リンゴ酸、クエン酸及びその塩から選ばれる化合物が挙げられる。これらのうち、クエン酸又はその塩を使用することがより好ましい。
【００２４】
キレート剤（Ｃ）の塩は、アルカリ金属塩、アンモニウム塩、アミン塩などを使用することが好ましい。好ましくはアルカリ金属塩であり、より好ましくはナトリウム塩又はカリウム塩である。
【００２５】
キレート剤（Ｃ）は、ヒドロキシカルボン酸またはその塩（Ｃ１）およびアミノカルボン酸またはその塩（Ｃ２）を含有することが好ましい。この場合には、アミノカルボン酸及びその塩の含有量（Ｃ２）のヒドロキシカルボン酸及びその塩の含有量（Ｃ１）に対する比率（（Ｃ２）／（Ｃ１））を、９０／１０〜２０／８０とすることが好ましく、８５／１５〜４０／６０とすることが更に好ましい。
【００２６】
アミノカルボン酸、ヒドロキシカルボン酸、及びその塩は、エチレンジアミン四酢酸、クエン酸及びその塩がより好ましく、エチレンジアミン四酢酸四ナトリウムおよびクエン酸三ナトリウムが更に好ましい。
【００２７】
本発明の組成物におけるキレート剤（Ｃ）の含有量は、溶液安定性の観点から、０．１〜１０質量％とする。キレート剤（Ｃ）の含有量が０．１質量％未満では溶液の低温安定性が低下する可能性があるので、０．１質量％以上とするが、１．５質量％以上が更に好ましい。また、キレート剤（Ｃ）の含有量が１０質量％より多いと、溶液の低温安定性が低下する可能性があるので、１０質量％以下とするが、５質量％以下が好ましく、３質量％以下が更に好ましい。
【００２８】
本発明の組成物は、通常、水を含有する。水としては、例えば、イオン交換水、蒸留水、ＲＯ水、水道水、工業用水などが挙げられる。
本発明の組成物における水の含有量は、特に限定はされないが、好ましくは５０〜９５質量％である。
【００２９】
また、本発明の組成物には、一般の洗浄剤に配合される成分が配合されていてもよい。これらの成分としては、例えば、他の界面活性剤、ｐＨ調整剤、防腐剤、防食材、増粘剤、着色剤、香料などが配合されていてもよい。こうした成分（Ａ）〜（Ｃ）および水以外の成分の含有量は、１０質量％以下が好ましく、５質量％以下が更に好ましい。
【００３０】
本発明の組成物は、そのまま使用しても良く、必要に応じて水で希釈して使用することもできる。希釈倍率は、使用用途や目的などに応じて適宜決定され、例えば１．２〜１００倍、好ましくは２〜５０倍である。
【実施例】
【００３１】
以下、実施例および比較例を挙げて本発明をさらに具体的に説明する。
実施例１〜７及び比較例１〜４に使用した添加剤およびその含有量を表１、表２に示す。分子量６０００のポリアクリル酸ナトリウムは、日油(株)製（ポリスターＡ−１０６０）、分子量２０００および８５，０００のポリアクリル酸ナトリウムは、テクノケミカル（株）製のものを使用した。表１、表２に示した各成分を各含有量で混合することで、各例の印刷版用水性洗浄剤組成物を製造した。次いで、各実施例及び比較例の洗浄剤組成物を用いて下記のとおり評価を行った。その結果を表１、および表２に示す。なお、ポリアクリル酸の分子量は６０００であり、ラウリン酸ナトリウムの分子量は２２２である。
【００３２】
【表１】
2020090638.tif 000002
【００３３】
【表２】
2020090638.tif 000003
【００３４】
（１）  印刷版洗浄試験（Ｉ）
（Ａ）洗浄試験
本試験では、文字サイズが約６×５ｍｍのアルファベット（大文字、小文字）・数字・記号が１４４個彫られた縦５１×横７１×厚さ５ｍｍのゴム製凸版印刷版に印鑑補充インク（三菱鉛筆  補充インク  朱色  ＨＵＳ−３５３）３０ｍｇを塗布し、紙に印刷する操作を１５回行った後、再度インクを３０ｍｇを塗布し、３０分室温で乾燥させたものに対する洗浄試験を実施した。洗浄剤組成物は水で１０倍に希釈して使用した。
【００３５】
３００mLビーカー中で上記のインクを塗布した印刷版を上記希釈液２００ｇに対して、３０秒間２５℃で浸漬した。その後、液から取り出した際の印刷版の洗浄液を拭き取り、汚れ落ちについて、インクの残量から除去率を算出し、評価した。インク残量は式（１）より求めた。
インク残量（ｍｇ）＝
洗浄後のゴム製凸版印刷版の質量（ｍｇ）−ゴム製凸版印刷版の質量（ｍｇ）          ・・（１）
【００３６】
また、除去率の算出法を式（２）に示す。
【数１】
2020090638.tif 000004
【００３７】
評価基準は以下のとおりである。
◎：  除去率が９９％以上である。
○：  除去率が９５％以上、９９％未満である。
△：  除去率が９５％未満である。
【００３８】
（２）  印刷版洗浄試験（ＩＩ）
（Ａ）  洗浄試験
本試験では、文字サイズが約６×５ｍｍのアルファベット（大文字、小文字）・数字・記号が１４４個彫られた縦５１×横７１×厚さ５ｍｍのゴム製凸版印刷版に印鑑補充インク（三菱鉛筆  補充インク  朱色  ＨＵＳ−３５３）３０ｍｇを塗布し、紙に印刷する操作を１５回行った後、再度インクを３０ｍｇを塗布し、１４日間室温で乾燥させた固着インクに対する洗浄試験を実施した。洗浄剤組成物は水で１０倍に希釈して使用した。
【００３９】
３００ｍｌビーカー中で上記のインクを塗布した印刷版を上記希釈液２００ｇに対して、３０秒間２５℃で浸漬した。その後、液から取り出した際の印刷版の洗浄液を拭き取り、汚れ落ちについて、インクの残量から除去率を算出し、評価した。インク残量は式（１）、除去率は式（２）より求めた。
評価基準は以下のとおりである。
◎：除去率が９９％以上である。
○：除去率が９５％以上９９％未満である。
△：除去率が９５％未満である。
【００４０】
（３）  低泡性試験
各洗浄剤組成物（原液）を１００ｍｌ蓋付きメスシリンダーに５０ｍｌ量りとった。その後、蓋をして１０秒間激しく上下に振とうした後に静置した。静置して１０秒後および１分後の泡体積より、低泡性を評価した。低泡性は下記の評価基準に従い評価を行った。
◎：  振とう１０秒後の泡体積が１０ｍＬ以下であり、かつ１分後の泡体積が５ｍＬ以下である。
○：  振とう１０秒後の泡体積が５０ｍＬ以下であり、かつ１分後の泡体積が２５ｍＬ以下である。
△：  振とう１０秒後の泡体積が５０ｍＬより多い、または１分後の泡体積が２５ｍＬより多い。
【００４１】
（４）  原液安定性
各洗浄剤組成物を５０ｍｌスクリュー管に３０ｍｌ入れて、５℃の恒温槽にそれぞれ１週間静置して外観を確認し、評価を行った。安定性の評価は、下記の評価基準に従い行った。
○：５℃においても均一かつ透明である。
△：５℃では溶液で白濁もしくは析出する。
【００４２】
実施例１〜７の組成物については、インクを塗布して乾燥させた印刷版に対する洗浄力が高く、さらには高い低泡性を有することが明らかとなった。また、溶液の低温安定性も高いことが確認された。
【００４３】
これに対して、比較例１〜４の洗浄剤組成物は、実施例１〜７の洗浄剤組成物に比して十分な性能が得られていない。
【００４４】
比較例１の組成物は、成分（Ａ）を含有しないため、洗浄効果が良好ではなかった
比較例２の組成物は、アルカリ剤（Ｂ）を含有しないため、洗浄効果が良好ではなかった。
比較例３の組成物は、キレート剤（Ｃ）を含有しないため、低泡性、溶液の低温安定性が良好ではなかった。
比較例４の組成物は、成分（Ａ）が分子量が８００〜１００，０００のカルボキシ基を有する水溶性重合体でないため、低泡性が良好ではなかった。